(57)【要約】【課題】横転した設置姿勢の安定を向上させ、かつ小型な送風機を実現する。【解決手段】布団乾燥機（１）は、側方に空気を送出する送風ファン（１０）と、送風ファン（１０）の側方に配置され、送風ファン（１０）から送出される空気を上方に導く送風ダクト（１３）と、送風ダクト（１０）から送出される空気を導く折り曲げ可能なホース（１４）と、送風ファン（１０）、送風ダクト（１３）およびホース（１４）を内蔵する筐体（２）と、を備える。ホース（１４）は、筐体（２）から引き出し可能に設けられている。【選択図】図３
2020171474.tif 000002
【特許請求の範囲】
【請求項１】
側方に空気を送出する送風ファンと、
前記送風ファンの側方に配置され、前記送風ファンから送出される空気を上方に導く送風ダクトと、
前記送風ダクトから送出される空気を導く折り曲げ可能なホースと、
前記送風ファン、前記送風ダクトおよび前記ホースを内蔵する筐体と、を備え、
前記ホースは前記筐体から引き出し可能に設けられていることを特徴とする送風機。
【請求項２】
前記筐体は、底面と、前記ホースが前記筐体の内部から引き出される側に設けられた第１側面と、前記第１側面と前記底面との間の角部とを有し、
前記角部は、曲面状に形成されていることを特徴とする請求項１に記載の送風機。
【請求項３】
前記送風機が設置される設置対象面の上に前記筐体を支持するための第１支持部および第２支持部とさらに備え、
前記第１支持部は前記底面にのみ設けられ、
前記第２支持部は前記第１側面にのみ設けられていることを特徴とする請求項２に記載の送風機。
【請求項４】
前記筐体は、前記第１側面と隣り合う２つの第２側面を有し、
前記第２側面には少なくとも一方に取っ手部が設けられており、
前記取っ手部は、前記送風機が設置される設置対象面に前記底面を向けて前記送風機を設置する設置姿勢で上方から指を掛けるための第１指掛け部と、前記設置対象面に前記第１側面を向けて前記送風機を設置する設置姿勢で上方から指を掛けるための第２指掛け部とを有していることを特徴とする請求項２または３に記載の送風機。
【請求項５】
前記ホースの先端に接続されるノズルと、
前記筐体において前記ホースが引き出される開口部を閉じる蓋と、をさらに備え、
前記ノズルは前記蓋の内面と接続されていることを特徴とする請求項１から４のいずれか１項に記載の送風機。
【発明の詳細な説明】
【技術分野】
【０００１】
本発明は、設置姿勢が変更可能な送風機に関する。
【背景技術】
【０００２】
布団乾燥機などの送風機能を備える機器は、一般に、底面を設置面として一定の姿勢を保った状態で床等に設置される。このような機器は、通常、底面に本体を安定して支持するための脚部のような支持部を有している。これに対し、通常の姿勢だけでなく、通常の姿勢とは異なる姿勢で設置することが可能な機器もある。
【０００３】
例えば、特許文献１に開示されている布団乾燥機は、通常の設置姿勢での底面に脚部を有するだけでなく、１つの側面にも脚部を有している。これにより、側面が設置面となるように設置姿勢を変更することができる。
【先行技術文献】
【特許文献】
【０００４】
【特許文献１】特開２０１８−７９２３６号公報（２０１８年５月２４日公開）
【発明の概要】
【発明が解決しようとする課題】
【０００５】
特許文献１に開示された布団乾燥機では、本体の側方にホースを引き出して使用するため、ファンの吹出口が側方に向いている。このため、布団乾燥機を使用しないときに、ホースを本体内に収納するには、ホースを上方に折り曲げる必要がある。
【０００６】
しかしながら、ホースの曲げ半径が大きいため、ホースの折り曲げ部分を本体内に収容するためには、ファンの送風方向に大きいスペースを必要とする。したがって、通常の設置姿勢では、本体が横長の形状となる。このため、本体を９０°横転した設置姿勢で使用すると、縦長の状態で設置されるため、安定性が良くない。
【０００７】
このような不都合に対しては、通常の設置姿勢で本体を鉛直方向に大きく形成することで、横転した設置姿勢での設置面の長さを通常の設置姿勢での設置面に近づけることにより、本体を正方形に近づける。これにより、横転した設置姿勢での安定性を向上させることができる。
【０００８】
ところが、通常の設置姿勢で本体を鉛直方向に大きく形成すると、本体が大型化する。このため、布団乾燥機の設置姿勢を変えるために、本体を回転させることが難しくなるという不都合が生じる。
【０００９】
本発明の一態様は、横転した設置姿勢の安定を向上させ、かつ小型な送風機を実現すること目的とする。
【課題を解決するための手段】
【００１０】
上記の課題を解決するために、本発明の一態様に係る送風機は、側方に空気を送出する送風ファンと、前記送風ファンの側方に配置され、前記送風ファンから送出される空気を上方に導く送風ダクトと、前記送風ダクトから送出される空気を導く折り曲げ可能なホースと、前記送風ファン、前記送風ダクトおよび前記ホースを内蔵する筐体と、を備え、
前記ホースは前記筐体から引き出し可能に設けられている。
【発明の効果】
【００１１】
本発明の一態様によれば、横転した設置姿勢の安定を向上させ、かつ小型な送風機を実現することができる。
【図面の簡単な説明】
【００１２】
【図１】本発明の一実施形態に係る布団乾燥機の外観構成を示す側面図である。
【図２】上記布団乾燥機の底面側から見た外観構成を示す斜視図である。
【図３】上記布団乾燥機の内部構造を示す縦断面である。
【図４】上記布団乾燥機の使用状態を示す側面図である。
【図５】上記布団乾燥機の他の使用状態を示す側面図である。
【発明を実施するための形態】
【００１３】
〔実施形態〕
本発明の一実施形態について、図１〜図５に基づいて説明すれば、以下のとおりである。
【００１４】
図１は、実施形態１〜３に係る布団乾燥機１の外観構成を示す側面図である。図２は、布団乾燥機１の底面側から見た外観構成を示す斜視図である。図３は、布団乾燥機１の内部構造を示す縦断面である。
【００１５】
図１に示すように、布団乾燥機１（送風機）は、筐体２と、蓋３とで外観構造を形成している。
【００１６】
筐体２は、箱状に形成されており、図３に示すように、上端に開口部２０が形成されている。
【００１７】
筐体２は、底面２１と、正面２２と、背面２３（第１側面）と、側面２４，２５（第２側面）と、第１角部２６と、第２角部２７（角部）とを含んでいる。正面２２、背面２３、側面２４および側面２５は、４つの側面を構成している。正面２２と背面２３とは対面する位置に配置されている。側面２４と側面２５とは対面する位置に配置されている。正面２２と背面２３とが対面する方向と、側面２４と側面２５とが対面する方向は互いに直交している。また、側面２４および側面２５は、背面２３と隣り合っている。
【００１８】
第１角部２６は、底面２１と正面２２との間に設けられる部分であり、曲面状に形成されている。第２角部２７は、底面２１と背面２３との間に設けられる部分であり、曲面状に形成されている。
【００１９】
正面２２には、操作パネル４が設けられている。操作パネル４は、操作のための各種のボタンや各種の表示のための表示部を含んでいる。
【００２０】
図２にも示すように、底面２１には、第１支持部５が設けられている。背面２３には、第２支持部６が設けられている。第１支持部５は、底面２１を、布団乾燥機１を床Ｆの上に設置する面（設置面）とするときに、布団乾燥機１を設置する設置対象面に布団乾燥機１を安定して設置するための部分である。第２支持部６は、背面２３を設置面とするときに布団乾燥機１を設置対象面に安定して設置するための部分である。
【００２１】
第１支持部５および第２支持部６は、例えば平板状に形成されているが、その形態は平板状に限定されない。第１支持部５および第２支持部６は、リブ状に形成されていてもよいし、複数の脚状部であってもよい。
【００２２】
側面２４には、開口部２０の付近に取っ手部２４１が設けられている。取っ手部２４１は、筐体２の内側に窪んだ凹部であり、使用者が筐体２を持つために、第１指掛け部２４１ａと、第２指掛け部２４１ｂとを有している。第１指掛け部２４１ａは、取っ手部２４１における開口部２０の周縁に沿った上端部である。第１指掛け部２４１ａの内側には、指を挿入できるように空間が設けられている。第２指掛け部２４１ｂは、取っ手部２４１における正面２２に近い側の端部である。第２指掛け部２４１ｂの内側も、指を挿入できるように空間が設けられている。なお、取っ手部は、側面２４，２５の少なくともいずれか一方に設けられていればよい。
【００２３】
なお、図示はしないが、側面２５にも、取っ手部２４１と対向する位置に、取っ手部２４１と同様に構成される取っ手部が設けられている。
【００２４】
図３に示すように、布団乾燥機１は、送風ファン１０と、ケーシング１１と、ヒータ１２と、送風ダクト１３と、ホース１４と、ノズル１５とを備えている。筐体２は、これらを内蔵している。
【００２５】
送風ファン１０は、筐体２内に配置されており、筐体２の側面２５に設けられた空気の吸込口（図示せず）から空気を吸い込んで排出することにより、空気の流れを発生する。ケーシング１１は、送風ファン１０を覆う外装体であり、空気を吸い込むための吸込口（図示せず）と、空気を吹き出す吹出口１１１とを有している。
【００２６】
ヒータ１２は、送風ファン１０からケーシング１１の吹出口１１１を介して送られてきた空気を温めるために、吹出口１１１に接するように配置されている。
【００２７】
送風ダクト１３は、ヒータ１２を経た空気を開口部２０側（図３に示す通常の設置姿勢では上方）に導くように、ヒータ１２から上方に向く風路を形成している。背面２３は、送風ダクト１３に近接する位置に配置されている。
【００２８】
ホース１４は、円筒形状に形成されており、送風ダクト１３を通過する空気を導く風路を形成している。ホース１４の一端は、送風ダクト１３の空気吹出口に接続されている。また、ホース１４は、伸縮可能となるように、例えば蛇腹構造にて形成されている。ホース１４は、このような構造により、図３に示す収納状態では、短く縮んだ状態で筐体２内に収納され、かつ運転状態では、長く延ばされた状態で筐体２の内部から外部に引き出すことが可能となる（例えば図４参照）。
【００２９】
ノズル１５は、ホース１４内を送出される空気を吹き出す部材である。ノズル１５は、ホース１４の空気吹出口となる先端に接続されており、幅の広い扁平状に形成された吹出口を有している。ノズル１５は、このような構造により、吹き出す空気の流速を速めるとともに、空気を扇状の広い範囲に吹き出すことができる。また、ノズル１５は、蓋３の内面に接続されている。
【００３０】
蓋３は、筐体２の開口部２０を閉じる部材である。蓋３は、長方形を成しており、上面が平面状に形成されている。また、蓋３は、上記のように接続されるノズル１５と一体となるように構成されている。これにより、蓋３は、ホース１４および送風ダクト１３を介して筐体２と接続されている。
【００３１】
上記のように構成される布団乾燥機１の運転状態について説明する。図４は、布団乾燥機１の使用状態を示す側面図である。図５は、布団乾燥機１の他の使用状態を示す側面面である。
【００３２】
図４に示すように、例えば、ベッド１０１上の布団を乾燥する場合、底面２１を設置対象面となる床Ｆに向けて布団乾燥機１を設置する通常の設置姿勢で、布団乾燥機１を床Ｆに設置して運転する。この場合、底面２１が設置面となるので、布団乾燥機１は第１支持部５によって床Ｆ上に支持される。また、蓋３を開け、ホース１４を筐体２の開口部２０における背面２３側から引き出してベッド１０１上まで延ばし、ノズル１５の吹出口が乾燥対象域に向くように、ノズル１５を蓋３とともにベッド１０１の上に配置する。
【００３３】
この状態で、蓋３はノズル１５の台として機能する。また、蓋３の上面が平面状であるため、当該上面がベッド１０１に接することで、ノズル１５をベッド１０１の上に安定して支持することができる。これにより、ノズル１５から均一の向きで空気が吹き出されるので、ノズル１５が傾いて乾燥が偏るという不都合を抑制できる。
【００３４】
一方、図５に示すように、例えば、床Ｆ上の敷布団１０２とその上を覆う掛け布団（図示せず）とを乾燥する場合、背面２３を床Ｆに向けて布団乾燥機１を設置する横転した設置姿勢で、布団乾燥機１を床Ｆに設置して運転する。この場合、背面２３が設置面となるので、布団乾燥機１は第２支持部６によって床Ｆ上に支持される。
【００３５】
また、蓋３を開け、ホース１４を筐体２から引き出して敷布団１０２上まで延ばし、ノズル１５の吹出口が乾燥対象域に向くように、ノズル１５を蓋３とともに敷布団１０２の上に配置する。この状態でも、蓋３はノズル１５の台として機能するので、ノズル１５から均一の向きで空気が吹き出される。
【００３６】
このように、横転した設置姿勢では、床Ｆに対して低い位置にある乾燥対象物に対して、ホース１４を僅かに曲げるだけで送風することができる。したがって、ホース１４を大きく曲げることによる送風効率の低下を抑制して、より効率的に乾燥を行なうことができる。
【００３７】
図４に示す通常の設置姿勢から図５に示す横転した設置姿勢に変えるとき、使用者は、布団乾燥機１を通常の設置姿勢から背面２３側に回転させて倒す。このとき、使用者は、図４に示す取っ手部２４１の第１指掛け部２４１ａに上方から指を掛けて布団乾燥機１を背面２３側に倒す。また、横転した設置姿勢から通常の設置姿勢に戻すとき、使用者は、取っ手部２４１の第２指掛け部２４１ｂに上方から指を掛けて布団乾燥機１を引き起こす。このように、取っ手部２４１が異なる方向に指を掛ける第１指掛け部２４１ａと第２指掛け部２４１ｂとを有しているので、布団乾燥機１の設置姿勢を容易に変えることができる。
【００３８】
また、第２角部２７が曲面状に形成されているので、布団乾燥機１の設置姿勢を変えるとき、布団乾燥機１を転がすように回転させることができる。しかも、第１支持部５が底面２１にのみ設けられ、第２支持部６が背面２３にのみ設けられる。これにより、第１支持部５および第２支持部６が第２角部２７にまで及ぶことがなく、布団乾燥機１を転がして回転させる動作が妨げられることはない。
【００３９】
また、送風ダクト１３は、送風ファン１０の側方に送支出された空気を上方に導くように構成されている。これにより、送風ファン１０の空気送出方向における筐体２の幅を狭くことができる。しかも、ホース１４が筐体２に内蔵された状態では、送風ダクト１３の長さを適宜設定すれば、送風ダクト１３の先で曲げ半径の大きいホース１４が折り曲げられても、筐体２の高さを抑えることができる。これにより、筐体２の高さ（底面２１と蓋３上面との間の距離）を幅（正面２２と背面２３との間の距離）に近づけることができる。
【００４０】
したがって、布団乾燥機１の側面形状（側面２４および蓋３の側面とから構成される側面の形状）を正方向に近づけ、かつ筐体２を小型に形成することができる。よって、非力な使用者でも、設置姿勢を変えるための布団乾燥機１を転がす動作を容易にすることができる。
【００４１】
〔まとめ〕
本発明の態様１に係る送風機は、側方に空気を送出する送風ファンと、前記送風ファンの側方に配置され、前記送風ファンから送出される空気を上方に導く送風ダクトと、前記送風ダクトから送出される空気を導く折り曲げ可能なホースと、前記送風ファン、前記送風ダクトおよび前記ホースを内蔵する筐体と、を備え、前記ホースが前記筐体から引き出し可能に設けられている。
【００４２】
上記の構成によれば、送風ダクトが送風ファンの側方で送風ファンから送出される空気を上方に導くので、送風ダクトが送風ファンの空気送出方向に伸びることはない。これにより、送風ファンの空気送出方向における筐体の幅を狭くすることができる。また、ホースが筐体に内蔵された状態では、送風ダクトの長さを適宜設定することにより、送風ダクトの先で曲げ半径の大きいホースが折り曲げられても、筐体の高さを抑えることができる。これにより、筐体の高さを幅に近づけることができる。
【００４３】
本発明の態様２に係る送風機は、上記態様１において、前記筐体が、底面と、前記ホースが前記筐体の内部から引き出される側に設けられた第１側面と、前記第１側面と前記底面との間の角部とを有し、前記角部が、曲面状に形成されていてもよい。
【００４４】
上記の構成によれば、角部が曲面状に形成されていることで、底面を設置面とする設置姿勢から側面を設置面とする設置姿勢に変えるときに、または側面を設置面とする設置姿勢から底面を設置面とする設置姿勢に変えるときに、筐体を円滑に動かすことができる。
【００４５】
本発明の態様３に係る送風機は、上記態様２において、前記送風機が設置される設置対象面の上に前記筐体を支持するための第１支持部および第２支持部とさらに備え、前記第１支持部が前記底面にのみ設けられ、前記第２支持部が前記第１側面にのみ設けられていてもよい。
【００４６】
上記の構成によれば、筐体は、底面を設置面とする設置姿勢では、第１支持部によって支持され、側面を設置面とする設置姿勢では、第２支持部によって支持される。また、角部には、第１支持部および第２支持部が設けられないので、第１支持部および第２支持部によって、設置姿勢を変えるときに筐体を動かすことが妨げられることはない。
【００４７】
本発明の態様４に係る送風機は、上記態様２または３において、前記筐体が、前記第１側面と隣り合う２つの第２側面を有し、前記第２側面には少なくとも一方に取っ手部が設けられており、前記取っ手部は、前記送風機が設置される設置対象面に前記底面を向けて前記送風機を設置する設置姿勢で上方から指を掛けるための第１指掛け部と、前記設置対象面に前記第１側面を向けて前記送風機を設置する設置姿勢で上方から指を掛けるための第２指掛け部とを有していてもよい。
【００４８】
上記の構成によれば、底面を設置面とする設置姿勢から側面を設置面とする設置姿勢に変えるときに第１指掛け部に指を掛けて筐体を動かし、側面を設置面とする設置姿勢から底面を設置面とする設置姿勢に変えるときに第２指掛け部に指を掛けて筐体を動かすことができる。したがって、送風機の設置姿勢を容易に変更することができる。
【００４９】
本発明の態様５に係る送風機は、上記態様１から４のいずれかにおいて、前記ホースの先端に接続されるノズルと、前記筐体において前記ホースが引き出される開口部を閉じる蓋と、をさらに備え、前記ノズルが前記蓋の内面と接続されていてもよい。
【００５０】
上記の構成によれば、ノズルが蓋の内面に接続されているので、蓋を開いてホースを筐体から引き出した状態でノズルを送風対象物に向けるとき、蓋を下側にしてノズルを配置することができる。これにより、蓋をノズルの台として用いることにより、ノズルを安定して配置することができる。したがって、ノズルによる送風の向きを均一に保つことが可能となる。
【００５１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５２】
１布団乾燥機（送風機）
２  筐体
３  蓋
５  第１支持部
６  第２支持部
１３  送風ダクト
１４  ホース
１５  ノズル
２０  開口部
２１  底面
２３  背面（第１側面）
２４，２５  側面（第２側面）
２７  第２角部（角部）
２４１  取っ手部
２４１ａ  第１指掛け部
２４１ｂ  第２指掛け部
Ｆ  床（設置対象面）
【図１】
2020171474.tif 000003
【図２】
2020171474.tif 000004
【図３】
2020171474.tif 000005
【図４】
2020171474.tif 000006
【図５】
2020171474.tif 000007